(57)【要約】      （修正有）【課題】フン処理操作がし易く、かつフン処理が簡単で、持ち運び易く、どんな犬に対しても肛門下のフンを受ける上下位置の対応ができる、フン処理機を提供する。【解決手段】フンの容器４の中にフン処理袋が簡単、かつ確実に装着されるようにキャッチフレーム１の一部途切れた端部をＵ型構造２とした。また、メインフレーム６に対して９０度傾けた位置にキャッチフレーム１を位置する事でフン処理操作がし易い。また、持ち運びを容易にするため、メインフレーム６に対してアーム１０とキャッチフレーム１は折りたたみ可能な構造としている。そしてフン処理袋を入れるフンの容器４を変形可能な部材で作ることで、どんな犬に対しても肛門下でのフンを受ける上下位置の対応を可能にしている。【選択図】図１
0003183480.tif 000002
【実用新案登録請求の範囲】
【請求項１】
メインフレーム（６）に対してアーム（１０）とキャッチフレーム（１）が折りたたみ可能で、フン処理時はメインフレーム（６）に対してキャッチフレーム（１）が９０度の位置にある犬のフン処理機。
【請求項２】
キャッチフレーム（１）にはフンの容器（４）が設けられており、この容器は変形可能な部材でできている。フン処理時には犬の肛門下でのフンを受ける上下位置が変化した時、この容器は変形可能となる請求項１に記載の犬のフン処理機。
【請求項３】
キャツチフレーム（１）は円形ないしは多角形状で一部が途切れている。その端部は直行する方向に対して直角に折れ曲がったＵ型形状（２）になっており、フン処理袋（１３）の開口部先端をキャツチフレーム（１）に巻きつけるように外側に折り返すことができる請求項１に記載の犬のフン処理機。
【考案の詳細な説明】
【技術の分野】
【０００１】  本考案は衛生的でフン処理が確実かつ容易にでき、持ち運びが簡単な犬のフン処理機に関するものである。
【背景技術】
【０００２】  現在犬のフン処理機としては、取っ手の先端にワイヤー又はプラスチックでできたリング状の部材が取り付けられており、リング状の部材にフン処理袋を挟んで筒状にしてフンを中に入れる方式、又はフン処理袋を段付きのリング状構造体に挿入して、入口をゴムリングで固定するなどの方式があるが、フンの処理はまだ複雑である。【０００３】  別の犬のフン処理機として、取っ手の付いた角形の剛体でできた物はあるが、どんな犬の肛門下にも置く事ができるように、フンを受ける上下位置が変化した時の対応が困難である。【０００４】  コンパクトな形状で使い易く，腰をかがめる必要のない犬のフン処理機は少ない。
【先行技術文献】
【０００５】
【特許文献１】  特開平１１−２４３８０３号公報
【特許文献２】  特開２０００−３３３５４８号公報
【特許文献３】  特開２００３−７９２６４号公報
【特許文献４】  実用新案登録第３０５７５９２号公報
【特許文献５】  実用新案登録第３１１４９７１号公報
【特許文献６】  実用新案登録第３１６６４７９号公報
【考案の概要】
【考案が解決しようとする課題】
【０００６】  フン処理袋の取り付け、取り外しがいまいち操作しずらいこと。どんな犬の肛門下でもフンを受ける事が可能であること。  また犬のフン処理機の持ち運びが面倒であること、そしてフン処理をするためにかがむ必要がある点である。
【課題を解決するための手段】
【０００７】  フンが入る容器を変形可能な部材にする事で、犬の肛門下のフンを受ける上下位置の対応が可能となる。またＵ型形状が形成されたキャッチフレームにする事で、フン処理袋が確実に取り付けられる。  また、アーム及びキャッチフレームを折りたたみ可能な構造にする事で持ち運びが容易となる。  そしてメインフレームに対してキャッチフレームを９０度の位置にする事でフン処理操作がし易い犬のフン処理機とする。
【考案の効果】
【０００８】  フン処理袋の取り付け、取り外しが簡単で、しかも道路を汚す事が少なく持ち運びも容易である。また、どんな犬に対しても肛門下のフンを受ける上下位置の対応ができ、メインフレームに対してキャッチフレームが９０度の位置にある為、フンの処理操作がし易すく飼い主は立ったままでフンの処理が出来る。
【考案を実施するための形態】
【０００９】  図１に示すようにメインフレーム（６）にはブラケット（５）が一体化されている。ブラケット（５）の軸受部（８）にはキャッチフレーム（１）が取り付けられており先端軸部（３）を中心に回転できる。キャッチフレーム（１）にはフンの容器（４）が取り付けられている。  メインフレーム（６）の軸部にアーム（１０）が取り付けられており、アーム（１０）はアームの軸受部（１１）を中心に回転できる。
【実施例】
【００１０】  キャッチフレーム（１）は円形で一部が途切れており、その両端部は下側にＵ型形状（２）が形成されている。先端軸部（３）は左右に直角に折曲っており軸の役目をしている。  キャッチフレーム（１）にはフンの容器（４）が先端部を外側に折り返して取り付けられている。これは前述のＵ型形状（２）の構造により折り返す事ができる。フンの容器（４）はキャッチフレーム（１）に接着で固定されている。【００１１】  ブラケット（５）はメインフレーム（６）と、メインフレーム先端（７）で圧入により一体化されている。ブラケット（５）は左右に軸受部（８）を設けており、下部にストッパ（９）が形成されている。【００１２】  キャッチフレーム（１）の先端部（３）はブラケットの軸受部（８）に挿入されており軸受部（８）を中心に回転することができる。また、キャッチフレーム（１）のＵ型形状（２）の側面部をブラケットのストッパ（９）に当てる事でキャッチフレーム（１）の位置が決まる。【００１３】  アーム（１０）は手で握る部分の部材で左右にアームの軸受部（１１）がある。  先端部には左右に突起部（１２）があってストッパの役目をしている。メインフレーム（６）とは軸受部（１１）で連絡されており、先端の突起部（１２）をメインフレーム（６）に当てる事でアーム（１０）の位置を決めている。【００１４】  フン処理の使用例として、図２はフン処理袋（１３）、図３はフンの容器（４）にフン処理袋（１３）を挿入して、開口部先端を外側に折り返して装着した図である。このフン処理袋（１３）はフンの容器（４）より大きなもので、かつ先端を折り返せるように深い物を使用する。  排便後はフン処理袋（１３）を取り出し、フン処理袋（１３）の先端部を縛る事で終了する。フンを処理した後は図４に示すようにアーム（１０）を折りたたみ、更にキャッチフレーム（１）を折りたたむ事でコンパクトになり、持ち運びが容易にできる。
【産業上の利用可能性】
【００１５】  年寄りや腰の悪い人にとっては、立ったままで犬のフンが処理できる。持ち運びもコンパクトにでき、フンの処理もし易い。フンが道に落ちる前に処理できるので環境衛生上も好ましく利用価値はある。
【図面の簡単な説明】
【００１６】
【図１】  犬のフン処理機の斜視図である。
【図２】  フン処理袋の斜視図である。
【図３】  フン処理袋をフンの容器に取り付けた状態の斜視図である。
【図４】  運搬時の犬のフン処理機の斜視図である。
【符号の説明】
【００１７】１      キャッチフレーム
２      Ｕ型形状
３      先端軸部
４      フンの容器
５      ブラケット
６      メインフレーム
７      メインフレーム先端
８      軸受部
９      ストッパ
１０    アーム
１１    アームの軸受部
１２    突起部
１３    フン処理袋
１４    折り返し部
【図１】
0003183480.tif 000003
【図２】
0003183480.tif 000004
【図３】
0003183480.tif 000005
【図４】
0003183480.tif 000006